(57)【要約】【課題】  生態系に良好で、施工性に優れた積みブロックを提供する。【解決手段】  横方向に並設すると共に、上下に重ね合わせて擁壁を形成するプレキャストコンクリート製の積みブロックたるブロック本体１において、相互に重ね合わせ可能で略平行な上，下重ね合わせ面２，３を有すると共に、相互に略平行で下側から上側後に傾斜する前面４と後面５とを有し、且つ左右方向両側に前後に連続する側面15，15を有し、略水平方向に配置した上重ね合わせ面２に下重ね合わせ面３を重ね合わせてブロック本体が自立し、前面４と後面５とを連通する貫通孔21，22を形成し、貫通孔21，22は後面５から前面４に向って幅狭に形成されている。【選択図】  図１
0003114907.tif 000002
【実用新案登録請求の範囲】
【請求項１】
横方向に並設すると共に、上下に重ね合わせて擁壁を形成するプレキャストコンクリート製の積みブロックにおいて、相互に重ね合わせ可能で略平行な上，下重ね合わせ面を有すると共に、相互に略平行で下側から上側後に傾斜する前面と後面とを有し、且つ左右方向両側に前後に連続する側面を有し、略水平方向に配置した前記上重ね合わせ面に前記下重ね合わせ面を重ね合わせて自立し、前記前面と前記後面とを連通する貫通孔を形成し、この貫通孔は前記後面から前記前面に向って幅狭に形成されていることを特徴とする積みブロック。
【請求項２】
前記前面に擬石模様を有することを特徴とする請求項１記載の積みブロック。
【請求項３】
前記上，下重ね合わせ面の一方に横方向の係合突起を設けると共に、他方に前記係合突起が係入する係合溝を設け、前記上，下重ね合わせ面には、対応する位置に、前後方向で前記前面と前記後面とを連通する凹溝を形成したことを特徴とする請求項１又は２記載の積みブロック。
【請求項４】
前記貫通孔を複数有し、前記貫通孔の断面形状がほぼ長方形であり、断面形状が縦長と横長の前記貫通孔を隣り合って設け、これら隣り合った貫通孔の間に前記凹溝を配置したことを特徴とする請求項３記載の積みブロック。
【考案の詳細な説明】
【技術分野】
【０００１】
本考案は、擁壁に用いる積みブロックに関する。
【背景技術】
【０００２】
従来、この種のものとして、上下左右に並設するブロック単位体の四辺に、隣接単位体の周辺突部及び溝部と互いに係合する溝部及び突部を有するとともに、背面に控えを備えて成り、前記単位体は上位の単位体の左右凸部に載せかつ下位の単位体の左右凸部に載る凹部を上下辺に設けたもの（例えば、特許文献１）がある。
【０００３】
また、表面に玉石状の擬石を並設した擁壁用積みブロックであって、隣接擬石間の隙間が擬石の高さの中間部に位置しており、また、擬石、基板及び控えを一体成形のコンクリートとしたもの（例えば特許文献２）がある。
【０００４】
また、所定の厚さを持った矩形板状の前方体及び後方体と、該前方体と後方体とを所定の間隔をもって一体に連結する連結体とからなる積みブロック（例えば特許文献３）がある。
【特許文献１】実開昭６０−８７２４２号公報
【特許文献２】特開平１１−２１９２０号公報
【特許文献３】特開平８−１２０６９２号公報
【考案の開示】
【考案が解決しようとする課題】
【０００５】
上記特許文献１の積みブロックでは、玉石の空隙部に中詰土を充填することにより、緑化構造とすることができるが、積みブロックの前後は基板により仕切られた構造であるから、積みブロックにより覆われた法面は、通水性や通気性が劣るなど、生態系にとって良好なものではなく、また、上記特許文献２及び３の積みブロックも通水性や通気性について考慮されていなかった。さらに、上記特許文献１〜３のものは、いずれもブロック背面と法面との間を埋め戻す必要があるため、施工性に劣る問題がある。
【０００６】
本考案は、上記問題点を解決するものであり、生態系に良好で、施工性に優れた積みブロックを提供することを目的とする。
【課題を解決するための手段】
【０００７】
請求項１記載の考案は、横方向に並設すると共に、上下に重ね合わせて擁壁を形成するプレキャストコンクリート製の積みブロックにおいて、相互に重ね合わせ可能で略平行な上，下重ね合わせ面を有すると共に、相互に略平行で下側から上側後に傾斜する前面と後面とを有し、且つ左右方向両側に前後に連続する側面を有し、略水平方向に配置した前記上重ね合わせ面に前記下重ね合わせ面を重ね合わせて自立し、前記前面と前記後面とを連通する貫通孔を形成し、この貫通孔は前記後面から前記前面に向って幅狭に形成されているものである。
【０００８】
また、請求項２記載の考案は、前記前面に擬石模様を有するものである。
【０００９】
また、請求項３記載の考案は、前記上，下重ね合わせ面の一方に横方向の係合突起を設けると共に、他方に前記係合突起が係入する係合溝を設け、前記上，下重ね合わせ面には、対応する位置に、前後方向で前記前面と前記後面とを連通する凹溝を形成したものである。
【００１０】
また、請求項４記載の考案は、前記貫通孔を複数有し、前記貫通孔の断面形状がほぼ長方形であり、断面形状が縦長と横長の前記貫通孔を隣り合って設け、これら隣り合った貫通孔の間に前記凹溝を配置したものである。
【考案の効果】
【００１１】
請求項１の構成によれば、積みブロックを横方向に並設し、この横方向に並設した下段の積みブロックの上に上段の積みブロックを重ね合わせ、この際、略水平方向に配置した上重ね合わせ面の上に、上段の積みブロックが自立するため、施工性に優れたものとなり、その擁壁には、前面と後面とを連通する貫通孔が形成されているため、積みブロック背面の法面と前方とが貫通孔により連通し、通水性及び通気性が得られ、しかも、貫通孔は後面から前面に向って幅狭に形成されているから、後面側から前面側方向への法面構成材の吸出しを抑制しながら、擁壁の通水性及び通気性を確保できる。
【００１２】
また、請求項２の構成によれば、前面の擬石模様により、周囲の自然に適合した外観を備えた擁壁が得られる。
【００１３】
また、請求項３の構成によれば、上，下重ね合わせ面における係合突起と係合溝の係合により、上下の積みブロックが安定して積上げられ、しかも、上，下重ね合わせ面において、上下の凹溝が対応し、その凹溝が前面と後面とを連通することにより、上，下の積みブロック間においても、通水性と通気性を確保することができる。
【００１４】
また、請求項４の構成によれば、上，下の積みブロック間の凹溝に加えて、前面と後面とを貫通する縦長と横長の貫通孔により、通水性と気密性を保持することができ、しかも、縦長と横長で向きの異なる貫通孔を備えるため、均一な通水性と気密性とが得られる。
【考案を実施するための最良の形態】
【００１５】
本考案における好適な実施の形態について、添付図面を参照しながら詳細に説明する。なお、以下に説明する実施の形態は、実用新案登録請求の範囲に記載された本考案の内容を限定するものではない。また、以下に説明される構成の全てが、本考案の必須要件であるとは限らない。各実施例では、従来とは異なる積みブロックを採用することにより、従来にない積みブロックが得られ、その積みブロックを夫々記述する。
【実施例１】
【００１６】
以下、本考案の積みブロックの実施例について、図１〜図９を参照して説明する。図１〜図３に示すように、積みブロックたるプレキャストコンクリート製のブロック本体１は、正面が横方向に長い略長方形の形状をなし、側面が略平行四辺形の形状をなし、上，下に相互に重ね合わせ可能な上，下重ね合わせ面２，３を有すると共に、相互に略平行で下から上後側に傾斜した前面４及び後面５を有する。また、前記前面４には擬石模様６が設けられている。尚、ブロック本体１は本考案における標準タイプである。
【００１７】
前記上重ね合わせ面２には、係合溝11を左右方向に連続して形成し、この係合溝11に係入する係合突起12，12を、前記下重ね合わせ面３の左右に間隔をおいて形成する。また、図１に示すように、上，下重ね合わせ面２，３には、凹溝13，13，13，13が等間隔で設けられ、この間隔Ｋは前記前面４の上下方向の寸法Ｈと略等しく、前記前面４及び後面５には、それら凹溝13，13，13，13の間に、ほぼ正方形の基準面14Ｌ，14，14Ｒが形成され、その両側には左右寸法が前記間隔Ｋの略２分の１の半基準面14Ｓが形成されている。そして、前記３つ並んだ基準面14Ｌ，14，14Ｒの左右の基準面14，14の下部に前記係合突起12，12が形成されている。また、左右の側面15，15は、後面５が前面４より左右方向に短くなるように斜めに形成され、その側面15には、前面４から後面５に連続する側面凹溝16が形成されている。
【００１８】
前記ブロック本体１には、前面４の中央に、上下方向に長く開口した略長方形形状の貫通孔21を形成し、この貫通孔21は後面５に向って拡大するテーパ状に形成され、後面５においても長方形形状で開口する。すなわち、前記貫通孔21は、中央の前記基準面14に開口する。また、左右の前記基準面14Ｌ，14Ｒには、左右方向に長く開口した略長方形形状の貫通孔22をそれぞれ形成し、この貫通孔22は後面５に向って拡大するテーパ状に形成され、後面５においても長方形形状で開口する。また、図３に示すように、係合突起12は台形状の断面形状をなし、係合溝11は台形状の凹みである。
【００１９】
次に、前記標準タイプのブロック本体１より左右方向の寸法が短いブロック本体１Ａ，１Ｂについて説明する。図４及び図５に示すように、前記ブロック本体１Ａの左右方向の寸法は、前記ブロック本体１の略２分の１であり、そのブロック本体１Ａは、前記中央の基準面14の両側に半基準面14Ｓを設けた形状をなし、中央の基準面14に前記貫通孔22を設けると共に、中央の基準面14に対応する下重ね合わせ面３に、前記係合突起12を設けてなる。
【００２０】
また、図６及び図７に示すように、前記ブロック本体１Ｂの左右方向の寸法は、前記ブロック本体１の略４分の１であり、そのブロック本体１Ｂは、前記中央の基準面14に対応した形状をなし、貫通孔は設けられておらず、下重ね合わせ面３に、左右方向の幅の狭い係合突起12Ｂを設け、また、上重ね合わせ面２に前記凹溝13を設けてなる。
【００２１】
次に、前記積みブロックを用いた擁壁の施工方法について説明すると、図８及び図９に示すように、法面31の下部に基礎ブロック32を並設して基礎33を形成し、この基礎33上に、１段目のブロック本体１，１…を並べ、これら１段目のブロック本体１，１…の上に、２段目のブロック本体１，１…を重ね、この際、上，下重ね合わせ面２，３の係合溝11と係合突起12との係合により安定的に自立して重ね合わされ、同様にして複数段のブロック本体１，１を重ね、上のブロック本体１の中央が下のブロック本体１，１の側面15箇所に位置するように千鳥状に積み重ね、複数並設したブロック本体１，１の両側は寸法調整のため、前記ブロック本体１Ａ，１Ａを配置する。また、重ね合わせたブロック本体１，１…の後面５，５…に沿って、サンドマットあるいはフェルトなどの吸出防止材34を配置し、吸出防止材34と法面31との間には、砕石などの裏込材35を充填する。
【００２２】
このように本実施例では、請求項１に対応して、横方向に並設すると共に、上下に重ね合わせて擁壁を形成するプレキャストコンクリート製の積みブロックたるブロック本体１，１Ａ，１Ｂにおいて、相互に重ね合わせ可能で略平行な上，下重ね合わせ面２，３を有すると共に、相互に略平行で下側から上側後に傾斜する前面４と後面５とを有し、且つ左右方向両側に前後に連続する側面15，15を有し、略水平方向に配置した上重ね合わせ面２に下重ね合わせ面３を重ね合わせてブロック本体１，１Ａ，１Ｂが自立し、前面４と後面５とを連通する貫通孔21，22を形成し、貫通孔21，22は後面５から前面４に向って幅狭に形成されているから、積みブロックを横方向に並設し、この横方向に並設した下段の積みブロックの上に上段の積みブロックを重ね合わせ、この際、略水平方向に配置した上重ね合わせ面２の上に上段の積みブロックが自立するため、施工性に優れたものとなり、その擁壁には、前面４と後面５とを連通する貫通孔21，22が形成されているため、積みブロック背面の法面31と前方とが貫通孔21，22により連通し、通水性及び通気性が得られ、しかも、貫通孔21，22は後面５から前面４に向って幅狭に形成されているから、後面５側から前面４側方向への法面構成材や裏込材35の吸出しを抑制しながら、擁壁の通水性及び通気性を確保することができる。
【００２３】
また、このように本実施例では、請求項２に対応して、前面４に擬石模様６を有するから、前面４の擬石模様６により、周囲の自然に適合した外観を備えた擁壁が得られる。
【００２４】
また、このように本実施例では、請求項３に対応して、積みブロックたるブロック本体１，１Ａには、上，下重ね合わせ面２，３の一方である下重ね合わせ面３に横方向の係合突起12を設けると共に、他方である上重ね合わせ面２に係合突起12が係入する係合溝11を設け、上，下重ね合わせ面２，３には、対応する位置に、前後方向で前面４と後面５とを連通する凹溝13，13を形成したから、上，下重ね合わせ面２，３における係合突起12と係合溝11の係合により、上下の積みブロックが安定して積上げられ、しかも、上，下重ね合わせ面２，３において、上下の凹溝13，13が対応し、その凹溝13，13が前面４と後面５とを連通することにより、上，下の積みブロックの下，上重ね合わせ面３，２間においても、通水性と通気性を確保することができる。
【００２５】
また、このように本実施例では、請求項４に対応して、積みブロックたるブロック本体１は、貫通孔21，22を複数有し、貫通孔21，22の断面形状がほぼ長方形であり、断面形状が縦長と横長の貫通孔21，22を隣り合って設け、これら隣り合った貫通孔21，22の間に凹溝13を配置したから、上，下の積みブロック間の凹溝13，13に加えて、前面４と後面５とを貫通する縦長と横長の貫通孔21，22により、通水性と気密性を保持することができ、しかも、縦長と横長で向きの異なる貫通孔21，22を備えるため、均一な通水性と気密性とが得られる。
【実施例２】
【００２６】
図１０〜図１４は本考案の実施例２を示し、上記実施例１と同一部分に同一符号を付し、その詳細な説明を省略して詳述すると、この例では、ブロック本体１，１Ａの後面５には、貫通孔21，22に対応して、上下方向の縦凹溝21Ａ，22Ａを形成しており、それら縦凹溝21Ａ，22Ａの砕石などの裏込材35を充填することにより、貫通孔21，22における通水性及び通気性が向上する。
【００２７】
尚、本考案は上記実施例に限定されるものではなく、本考案の要旨の範囲内において種々の変形実施が可能である。例えば、隣り合う凹溝13，13は形状が異なっていてもよい。
【図面の簡単な説明】
【００２８】
【図１】本考案の実施例１を示す標準タイプの積みブロックの正面図である。
【図２】同上、平面図である。
【図３】同上、側面図である。
【図４】同上、標準タイプのほぼ２分の１の左右長さを有する積みブロックの正面図である。
【図５】同上、平面図である。
【図６】同上、標準タイプのほぼ３分の１の左右長さを有する積みブロックの正面図である。
【図７】同上、平面図である。
【図８】同上、擁壁の断面図である。
【図９】同上、擁壁の概略正面図である。
【図１０】本考案の実施例２を示す標準タイプの積みブロックの正面図である。
【図１１】同上、平面図である。
【図１２】同上、横長の貫通孔部分で断面にした積みブロックの断面図である。
【図１３】同上、縦長の貫通孔部分で断面にした積みブロックの断面図である。
【図１４】同上、平面図である。
【符号の説明】
【００２９】
１，１Ａ，１Ｂ  ブロック本体（積みブロック）
２  上重ね合わせ面
３  下重ね合わせ面
４  前面
５  後面
６  擬石模様
11  係合溝
12  係合突起
12Ｂ  係合突起
13  凹溝
15  側面
21  貫通孔
22  貫通孔
31  法面
【図１】
0003114907.tif 000003
【図２】
0003114907.tif 000004
【図３】
0003114907.tif 000005
【図４】
0003114907.tif 000006
【図５】
0003114907.tif 000007
【図６】
0003114907.tif 000008
【図７】
0003114907.tif 000009
【図８】
0003114907.tif 000010
【図９】
0003114907.tif 000011
【図１０】
0003114907.tif 000012
【図１１】
0003114907.tif 000013
【図１２】
0003114907.tif 000014
【図１３】
0003114907.tif 000015
【図１４】
0003114907.tif 000016